(57)【要約】    【課題】  浴槽循環ラインが全体として保有する浴槽水量が多い場合に、特に有効に機能して洗浄薬品の使用量を減ずることのできる浴槽循環ラインの洗浄方法およびこれに使用する洗浄装置を提供する。    【解決手段】  浴槽に浴槽水の循環吸込側ラインと循環吐出側ラインとからなる浴槽循環ラインが設けられ、前記浴槽循環ラインに循環ラインポンプ、滅菌装置、ろ過器が接続された浴槽循環ラインの洗浄方法である。  内部に水を収納し、端部を止水したポリ袋状の減容袋を複数個、前記浴槽に沈め、浴槽内の浴槽水を減容してから洗浄用の薬品を浴槽水に投入して浴槽循環ラインの洗浄を行う。【選択図】  図１
2005143691.tif 000002
【特許請求の範囲】
【請求項１】
浴槽に浴槽水の循環吸込側ラインと循環吐出側ラインとからなる浴槽循環ラインが設けられ、前記浴槽循環ラインに循環ラインポンプ、滅菌装置、ろ過器が接続された浴槽循環ラインの洗浄方法において、
内部に水を収納し、端部を止水したポリ袋状の減容袋を複数個、前記浴槽に沈め、浴槽内の浴槽水を減容してから洗浄用の薬品を浴槽水に投入して浴槽循環ラインの洗浄を行うことを特徴とする浴槽循環ラインの洗浄方法。
【請求項２】
請求項１において、前記浴槽循環ラインに回収槽が設けられている場合に、該回収槽にも同種の減容袋を沈めることを特徴とする浴槽循環ラインの洗浄方法。
【請求項３】
請求項１または２において、前記減容袋の総計容積は、浴槽容量の約１／３から２／３に設定することを特徴とする浴槽循環ラインの洗浄方法。
【請求項４】
請求項１から３のいずれかにおいて、前記減容袋は、水中ポンプを使用して浴槽中の浴槽水を収容して構成してものであることを特徴とする浴槽循環ラインの洗浄方法。
【請求項５】
浴槽に浴槽水の循環吸込側ラインと循環吐出側ラインとからなる浴槽循環ラインが設けられ、前記浴槽循環ラインに循環ラインポンプ、滅菌装置、ろ過器が接続された浴槽循環ラインに洗浄薬品を投入して洗浄を行う洗浄方法に使用される洗浄装置において、
内部に水を収納し、端部に止水したポリ袋状の減容袋を複数個と、前記浴槽内に沈められ、高さが前記循環吸込側ラインの吸込口より高くされた通水機能のある前記複数個の減容袋を支持し、取り除し自在の減容袋受け具とを含んで構成されることを特徴とする浴槽循環ラインの洗浄に使用される洗浄装置。
【発明の詳細な説明】
【技術分野】
【０００１】
本発明は、浴槽循環ライン（系統）に設けられる浴槽、循環機器、配管、浴槽水貯水槽類の洗浄方法およびこの洗浄方法に使用する洗浄装置に関する。
【背景技術】
【０００２】
浴槽循環ラインに設けられる浴槽、循環機器、配管、浴槽水貯水槽類の洗浄（殺菌を含めて）のために洗浄薬品および中和剤が広く使用されている。
【０００３】
従来の方法では、通常時浴槽循環に必要な水量まで浴槽、循環系統貯水槽類に水を満たし、その水量で洗浄、殺菌効果を得るためには浴槽に貯留した水量に見合う薬品および中和剤を必要とした。
【０００４】
特許文献１には、浴槽底部からの洗浄水の水位を低くして洗浄水の使用量、並びに無駄に使用される洗剤の量を低減させ、かつ、洗浄水の水位が低くてもエアの吸い込みを有効に防止して洗浄効果を高めるために、循環ポンプによって浴槽に洗浄水を循環させる浴槽洗浄方式であって、浴槽底部の開口に該底部よりも下方に所定の深さを有する吸水室を配備し、洗浄時には洗浄水をこの吸水室を介して循環させる一方、洗浄時における前記吸水室内の水面下に目皿を配備する浴槽洗浄方式が記載されている。
【０００５】
特許文献２には、洗浄水供給手段から浴槽内に洗浄水を供給して該浴槽を洗浄する浴槽洗浄システムであって、該浴槽の底部よりも下方の位置に所要の深さで洗浄水の貯水が可能な貯水部を設け、この貯水部には、該貯水部に貯水されている洗浄水を吸い込む循環吸込口を配備し、かつ、この循環吸込口を洗浄水供給手段に接続してなる浴槽洗浄システムが記載されている。
【０００６】
【特許文献１】特開平６−３８９１９号公報
【特許文献２】実開平５−６８４７６号公報
【発明の開示】
【発明が解決しようとする課題】
【０００７】
従来の方法では、循環水に対して洗浄薬品の濃度を洗浄、殺菌効果が得られるまで上げるためには浴槽循環ラインが全体として保有する浴槽水量に比例して洗浄薬品の量を多くする必要があり、洗浄コストが高いものとなっていた。
【０００８】
また、上述のように浴槽自体の改善による手法では浴槽循環ラインの全体が保有する浴槽水量が少ない場合には有効であっても、浴槽水量が多い場合、例えば温泉宿泊設備あるいは公衆浴場等のように浴槽が大きくなった場合には有効とは言えない。
【０００９】
本発明は、浴槽循環ラインが全体として保有する浴槽水量が多い場合に、特に有効に機能して洗浄薬品の使用量を減ずることのできる浴槽循環ラインの洗浄方法およびこれに使用する洗浄装置を提供することを目的とする。
【課題を解決するための手段】
【００１０】
本発明は、洗浄薬品を使用しての浴槽循環ラインの洗浄で、浴槽および／あるいは浴槽水の回収容器内にポリ袋状の減容袋を沈めて循環に供される浴槽水の減量を図り、これに伴って洗浄薬品の削減を行う方法を提供する。洗浄薬品の削減に伴って中和剤の使用量をも削減する。また、本発明のもう一つの特徴は循環する浴槽水の減容するに当り、浴槽水の廃棄を行うことなく有効に活用することにある。
【００１１】
本発明は、具体的には、浴槽に浴槽水の循環吸込側ラインと循環吐出側ラインとからなる浴槽循環ラインが設けられ、前記浴槽循環ラインに循環ラインポンプ、滅菌装置、ろ過器が接続された浴槽循環ラインの洗浄方法において、内部に水を収納し、端部を止水したポリ袋状の減容袋を複数個、前記浴槽に沈め、浴槽内の浴槽水を減容してから洗浄用の薬品を浴槽水に投入して浴槽循環ラインの洗浄を行う浴槽循環ラインの洗浄方法を提供する。
【００１２】
前記浴槽循環ラインに回収槽が設けられている場合に、該回収槽にも同種の減容袋を沈める浴槽循環ラインの洗浄方法を提供する。
【発明の効果】
【００１３】
本発明によれば、浴槽水に対して洗浄効果が得られる洗浄薬品濃度を維持しながら、使用薬品量および／もしくは中和剤量を削減できるため、浴槽循環ラインの洗浄費用を軽減することができる。
【発明を実施するための最良の形態】
【００１４】
本発明の実施形態になる浴槽循環ラインは、内部に水を収納し、端部を止水したポリ袋状の減容袋を複数個、前記浴槽に沈め、浴槽内の浴槽水を減容してから洗浄用の薬品を浴槽水に投入して浴槽循環ラインの洗浄を行うこと、浴槽循環ラインに回収槽が設けられている場合に、該回収槽にも同種の減容袋を沈めること、減容袋の総計容積は、望ましくは、浴槽容量の約１／３から２／３に設定すること、から構成される。
【００１５】
また、浴槽に浴槽水の循環吸込側ラインと循環吐出側ラインとからなる浴槽循環ラインが設けられ、前記浴槽循環ラインに循環ラインポンプ、滅菌装置、ろ過器が接続された浴槽循環ラインに洗浄薬品を投入して洗浄を行う洗浄方法に使用される洗浄装置において、内部に水を収納し、端部に止水したポリ袋状の減容袋を複数個と、前記浴槽内に沈められ、高さが前記循環吸込側ラインの吸込口より高くされた通水機能のある前記複数個の減容袋を支持し、取り除し自在の減容袋受け具とを含んで構成される浴槽循環ラインの洗浄に使用される洗浄装置を提供する。
【００１６】
これらの実施態様によれば、使用薬品量、あるいは／および中和剤量を５０〜６０％程度削減できる。また、これに加えて、浴槽水を減容袋につめて、すなわち収納して使用するために浴槽水を有効に活用した洗浄方法を提供することができる。
【実施例１】
【００１７】
以下、本発明の実施例を図面に基づいて説明する。
図１は、本発明の実施例の構成を示す（横引または下引タイプ）。
図において、浴槽循環ライン１００は、浴槽１、浴槽１の最下部位置に設けられた吸込口１３を介して接続された循環吸込側ライン８と循環吐出側ライン１１とを有して構成される。循環吸込側ライン８には浴槽水の回収槽２が設けられる場合がある。図はその例を示す。
【００１８】
更に、このラインにはヘア（髪）キャッチャー３、循環ラインポンプ４、滅菌装置５、ろ過機６および熱交換器７が順次接続され、循環吐出側ライン１１へ接続される。このようにして構成された浴槽循環は通常時は滅菌装置５およびろ過機６の機能によって浴槽水の清浄化が図られている。
【００１９】
浴槽１あるいは／および回収槽２内に内部に水を収納し、端部を止水したポリ袋状の減容袋１０（１０Ａ、１０Ｂ）を複数個沈める。沈めた減容袋の統計容積だけ浴槽１あるいは回収槽２の浴槽水量を減じて循環に供する。
【００２０】
この場合には、高さが吸込口１３より高くされ、通水機能のある減用袋受け具１２が浴槽１内の底部に沈められる。減容袋受け具１２は、前述の減容袋１０を受け、浴槽水の排出を阻害しないようにしている。減容袋１０を減容袋受け具１２上に載るように重みを調整し、位置決めを行ってもよい。この減容袋受け具１２は洗浄方法に使用されるものであり、浴槽１に取り除し自在である。
【００２１】
以上のようにして準備完了し、薬剤容器１５から浴槽水に使用薬剤の投入を行う。他の場所で適宜行ってもよい。
【００２２】
浴槽循環ラインの洗浄に使用する使用薬品の濃度、あるいは使用薬剤は予め定まっており、従って浴槽水量を減じた分だけ使用薬品の量を減じても所定の濃度とした浴槽水による循環を維持することができる。これに伴って、洗浄後における中和剤の量も合わせて削減することが行われることになる。また、洗浄後減容袋を開削し薬品濃度を低下させてから中和剤の投入を行うので、急激な発泡や発熱を抑制し、安全に作業を行うことができる。
【００２３】
洗浄薬品としては、一般的に過酸化水素、二酸化塩素、次亜塩素酸ナトリウムなどが使用されるが、これに限定されない。中和剤としてはこれらの薬品の還元剤が使用される。
【００２４】
図２は、減容袋１０の概要を示す。減容袋１０は、ポリ袋等の袋２１と、この袋２１の中に収納した水、例えば浴槽水と、水収納後に端部を止水するための止水バンド２２（２２Ａ、２２Ｂ）とからなる。
【００２５】
ポリ袋等の袋は持ち運び易いように体積を減ずるように伸縮性のものであり、厚さは０．０３ｍｍ〜０．１０ｍｍ、サイズは円径状で３００ｍｍφ（幅で５００ｍｍ）〜６００ｍｍφ（幅で１０００ｍｍ）、長さは浴槽材質、形状、容量により適宜設定される。止水バンド２２の機能は、結束バンドとしての機能である。
【００２６】
このように、ポリ袋のような袋は、比較的安価であり、持ち運び時の重量が軽く、任意の長さに調整しやすいものが選択される。
このような袋は、洗浄作用後、袋をカッターナイフで容易に裂くことができ、浴槽水を元の浴槽１に戻すことができる。従って、使用した水の処理が極めて楽になる。
ポリ袋の材質としては、ＬＤ（透明なポリ袋）とＨＤ（半透明なポリ袋）があり、同じ厚みではＨＤはＬＤより強度が得られる。
【００２７】
図３は、浴槽内注入方法を示す。図において、浴槽内に減容袋１０を準備し、片方の端を止水バンド２２Ａで結束し、他方を開放し、水中ポンプ１６と導管２３を介して結ぶ。このような状態で、水中ポンプ１６によって浴槽内の浴槽水を減容袋１０内に入れ、浴槽内の浴槽水を減容する。外部からポンプによって減容袋に水を入れて浴槽水を浴槽からオーバーフローさせても浴槽水を減容することでは同じである。
【００２８】
図４は、減容袋受け具１２の概要を示す。図において、ステンレスカゴ４１は、網目状を呈し、通水性がある。ステンレスかごは直方体をなし、上面は平面、底面は空きとされる。上面は減容袋１０を受けるために平面状としてある。ステンレスカゴの角部あるいは要所要所に緩衝材４２が設けてある。
【００２９】
図５は、図４に示す例の代案であり、塩ビ管５１から構成される。塩ビ管５１に複数の穴５２をあける（図５（ａ））。管径は６０Ａ〜８０Ａ程度が望ましい。
【００３０】
このようにして形成した塩ビ管５１を転がり防止用のチーズ５３を用いて接合し、長さを長くする（図５（ｂ））。全長の長さとしては１ｍ〜２ｍのものとする。
【実施例２】
【００３１】
図６は、第１の実施例が横引あるいは下引タイプであったのに対し、オーバーフロータイプの例を示す。第１の例と同一の構成については同一の番号が付してあり、繰り返して説明を行わない。説明は、第１の実施例について行った説明を援用する。
【００３２】
この例にあっては、浴槽１の上端面に浴槽水のオーバーフロー口６１が形成されている。この例にあっても背の高い減容袋受け具１２を設けてもよいが、図示していない。また、減容袋１０を浴槽１の水の中に沈めることは必要であるが、減容袋１０の全部を沈める必要はない。
オーバーフロータイプの浴槽１は、水深が６０ｃｍ程度のものが多く、ポリ袋のサイズは６００ｍｍφ（幅で１０００ｍｍ）程度のものが扱いやすい。
【００３３】
これらの実施例によれば、使用薬品の量、中和剤の量を５０〜６０％削減することができる。この量は、循環のための吐出口循環のための吸込口１３間の位置距離による水の確保によって定まるものであり、これらの位置の配置によってはそれ以上の削減も可能となる。例えば減容袋の統計容積は、浴槽容量の約１／３〜２／３に設定することができる。
【図面の簡単な説明】
【００３４】
【図１】本発明の実施例の構成を示す図。
【図２】実施例に使用する減容袋の概要を示す図。
【図３】減容袋への注水方法を示す図。
【図４】減容袋受け具の構造を示す図。
【図５】他の減容袋受け具の構造を示す図。
【図６】本発明の他の実施例の構成を示す図。
【符号の説明】
【００３５】
１…浴槽、２…回収槽、３…ヘアキャッチャー、４…循環ラインポンプ、５…滅菌装置、６…ろ過器、７…熱交換器、８…循環吸込側ライン、９…浴槽内部、１０…減容袋、１１…循環吐出側ライン、１２…減容袋受け具、１５…薬剤容器、１００…浴槽循環ライン。
【図１】
2005143691.tif 000003
【図２】
2005143691.tif 000004
【図３】
2005143691.tif 000005
【図４】
2005143691.tif 000006
【図５】
2005143691.tif 000007
【図６】
2005143691.tif 000008